(57)【特許請求の範囲】
【請求項１】
一種の鉢苗移植装置であって、運送ベルト（１６）は第二伝動スプロケット（１７）によって駆動される伝送ロール（１８）に装着されており、
伝送ロール（１８）の下流側であって機械の前進方向と反対側の機構のフレームには、運送ベルト（１６）の運動方向の切線方向に鉢苗載置台（１９）が固定されており、
鉢苗載置台（１９）の下流側には、回転籠が設置されており、
回転籠の下流側の上方には、機構フレームに固定され且つ回転籠との間に隙間を有する鉢苗圧板（２０）が設置されており、
その特徴は、鉢苗繰出機構、伝動機構、鉢復元機構と鉢自動分離機構を備えており、そのうち、
１）鉢苗繰出機構は：回転籠の内部で、カム（１３）が位相差によって軸方向に沿って均一に機構中心軸（１）に固定されており、
中心軸（１）の一端には第一伝動スプロケット（２）が固定されており、カム（１３）と対応するロッドアッセンブリ（１５）の一端は中心軸（１）の軸受けの左固定板（１４）に支持されており、
ロッドアッセンブリ（１５）の他端は右固定板（６）に支持されており、右固定板（６）は中心軸（１）に挿入され回転籠に固定されている右フランジ（４）の軸受けに支持されており、
ロッドアッセンブリ（１５）には、ばね（２９）が装着されているロッド（２１）と、ロッドに貫通された内、外固定板（２４，２２）とを備えており、
ロッドアッセンブリとカム（１３）との間であって、右固定板（６）と左固定板（１４）に支持され、機構の中心軸（１）と並行する静止梃子軸（９）には、一列の梃子（１０）が装着され、この梃子（１０）はカムからの作用によってロッドを動かせ、
２）伝動機構は：フレームに伝動箱（３）が固定支持されており、伝動箱の外側の一端から延伸された軸カバーは回転籠に固定連結されており、
３）鉢復元機構は：回転籠の外部後方下側と苗ガイド管との間に伝動する「星」型の復元輪（２５）が装着されており、
４）鉢自動分離機構は：回転籠の外側の下方であって、復元輪（２５）の前下方に、機構のフレームに固定された鉢分離ストッパー（２６）が設置されている。
【請求項２】
請求項１に記載の鉢苗移植装置において、その特徴は、前記回転籠は、籠の柵（７）が垂直方向から籠柵支持リング（３２）を貫通して、籠両端に設けられ且つ籠柵支持リングと平衡する二つの籠側面板（５，８）にネジによって固定されることにより一つの籠型の鉢苗入れ回転籠が形成され、鉢苗圧板（２０）と回転籠の籠柵支持リング（３２）との間に隙間が形成されている。
【請求項３】
請求項１に記載の鉢苗移植装置において、その特徴は、前記内、外固定板（２４、２２）は、支持ネジ（２７）と支持軸カバー（２８）によって一体に固定されており、二つの側固定板（２３）と外固定板（２２）は一体に溶接され、側固定板（２３）は左側固定板（１４）と右側固定板（６）に連結されている。
【請求項４】
請求項１に記載の鉢苗移植装置において、その特徴は、梃子（１０）の梃子軸（９）から離れた一端には、ロッド（２１）に向かう一方に突起が設けられており、
梃子（１０）の梃子軸（９）側の他端には、カム（１３）に向かう一方に突起が設置されており、
梃子（１０）の動端は、梃子軸（９）と平行し且つ左側、右固定板（１４、６）に固定支持されてあるギア軸（１１）に置かれている。
【請求項５】
請求項１に記載の鉢苗移植装置において、その特徴は、伝動箱（３）は三軸伝動箱であり、三軸伝動箱の中で中心軸（１）に固定されている第一小歯車（３−８）と第一中間軸（３−２）に固定されている第一大歯車（３−７）とが噛み合い、
第一中間軸（３−２）に固定されている第二小歯車（３−３）と第二中間軸（３−５）に固定されている第二大歯車（３−４）とが噛み合い、
第二中間軸（３−５）に固定されている第三小歯車（３−６）と中心軸（１）に挿入されている第三大歯車（３−１）とが噛み合い、
第三大歯車（３−１）の伝動箱の片端から伸び出した軸カバーは回転籠に固定連結されている。
【請求項６】
請求項１に記載の鉢苗移植装置において、その特徴は、伝動箱（３）は四軸伝動箱であり、その四軸伝動箱の中で、中心軸（１）に固定されている第一小歯車（３−１９）と第一中間軸（３−１０）に固定されている第一大歯車（３−１８）とが噛み合い、
第一中間軸（３−１０）に固定されている第二小歯車（３−１１）と第二中間軸（３−１３）に固定されている第二大歯車（３−１２）とが噛み合い、
第二中間軸（３−１３）に固定されている第三小歯車（３−１７）と第三中間軸（３−１５）に固定されている第三大歯車（３−１６）とが噛み合い、
第三中間軸（３−１５）に固定されている第四小歯車（３−１４）と中心軸（１）に挿入されている第四大歯車（３−９）とが噛み合い、
第四大歯車の伝動箱の片端から伸び出した軸カバーは回転籠に固定連結されている。
【請求項７】
請求項１に記載の鉢苗移植装置において、その特徴は、ロッドアッセンブリのロッド（２１）は、中心軸（１）の軸方向に沿ってカム（１３）と対応して均一に配置され、円周方向に均一に配置されている。
【請求項８】
請求項２に記載の鉢苗移植装置において、その特徴は、伝動箱（３）が三軸伝動箱の場合、一つの輸入伝動に対して、二つの大伝動比の、同軸での反対方向の伝動が輸出され、高速中心軸（１）がカム（１３）を回転させて、回転籠を低速度で回転させ、前記二つの回転方向は互いに反対であり、梃子機構は回転籠内の左側下方に装着されており、梃子（１０）の自由端が上部である状態で梃子軸（９）に装着されている。
【請求項９】
請求項２に記載の鉢苗移植装置において、その特徴は、伝動箱（３）が四軸伝動箱の場合、一つの輸入伝動に対して、二つの大伝動比の、同軸かつ同方向の伝動が輸出され、高速中心軸（１）がカム（１３）を回転させ、回転籠を低速度で回転させ、梃子機構は回転籠内の左側上方に装着されており、梃子（１０）の自由端が下向きで梃子軸（９）に支持されている。
【発明の詳細な説明】
【技術分野】
【０００１】
本発明は農業機械に関し、特に水稲鉢苗移植機に関する。
【背景技術】
【０００２】
現在市販されてある水稲移植機は、間欠移植機と連続移植機とがある。間欠鉢苗移植作業は簡単であるが、苗の列や株間の距離の均一さが確保出来ないので、一部は人の手でやり直す必要があり、後期の田畑管理と収穫が不便になり、風通しなどの問題で病害を起こしやすい。これに対して、連続鉢苗移植は間欠移植の上記問題がなくなるが、その機構の実現が難く、特に株間距離の均一さを保つのが非常に難しい。
【発明の開示】
【０００３】
本発明の解決課題は、一種の連続鉢苗移植機を提供し、繰り出された苗の株間距離が均一で、変形された鉢を元に復元させることができ、鉢の利用率を上げることである。このような機構は、苗の縦と横の距離が均一で、構造が簡単であり、作業の安定性も確保できる。
【０００４】
上記技術課題を解決するために、本発明は次のような技術方案を採用している。
運送ベルトは第二伝動スプロケットによって駆動される伝送ロールに装着されており、伝送ロールの下流側であって機械の前進方向と反対側の機構のフレームには、運送ベルトの運動方向の切線方向に鉢苗載置台が固定されており、鉢苗載置台の下流側には、回転籠が設置されており、回転籠の下流側の上方には、機構フレームに固定され且つ回転籠との間に隙間を有する鉢苗圧板（２０）が設置されており、本発明には鉢苗繰出機構、伝動機構、鉢復元機構と鉢自動分離機構を備えており、そのうち、
１）鉢苗繰出機構は：回転籠の内部で、カムが位相差によって軸方向に沿って均一に機構中心軸に固定されており、中心軸の一端には第一伝動スプロケットが固定されており、カムと対応するロッドアッセンブリは中心軸の軸受けの左固定板に支持されており、ロッドアッセンブリの他端は右固定板に支持されており、右固定板は中心軸に挿入され回転籠に固定されている右フランジの軸受けに支持されており、  ロッドアッセンブリには、ばねが装着されているロッドと、ロッドに貫通された内、外固定板とを備えており、
ロッドアッセンブリとカムとの間であって、右固定板と左固定板に支持され、機構の中心軸と並行する静止梃子軸には、一列の梃子が装着され、この梃子はカムからの作用によってロッドを動かせ、  
２）伝動機構は：フレームに伝動箱が固定支持されており、伝動箱の外側の一端から延伸された軸カバーは回転籠に固定連結されており、
３）鉢復元機構は：回転籠の外部後方下側と苗ガイド管との間に伝動する「星」型の復元輪が装着されており、
４）鉢自動分離機構は：回転籠の外側の下方であって、復元輪の前下方に、機構のフレームに固定された鉢分離ストッパーが設置されている。上の突き上げ組にはスプリング（２９）が装着されてあるロッド（２１）とロッドに通り抜かれた内側と外側の固定板（２４，２２）が含まれてある。
【０００５】
本発明特有の効果は：一組のロッドアッセンブリだけで、全体機構がさらに簡単に出来、軽量化を実現することができる。歯車変速回転カムと鉢苗の回転籠によって、チエン回転に比べて正確な回転伝達が実現できる。鉢苗復元機構は回転籠の外側下方と苗カイド管との間に装着されている一つの回転する「星型」復元輪であり、その歯車の「爪」が回転籠と一緒に回転する苗箱の空鉢まで回転した際、ロッドによって変形された鉢を元の形に復元することができる。鉢自動分離機構は回転籠の外部の下側に設置されてあり、復元輪の前方下側に鉢分離ストッパーが設置されてあり、回転箱から落とされた鉢は鉢分離ストッパーに接触した後、鉢分離ストッパーに沿って滑り落ちる。また、鉢分離機構の支持によって、互いに連結されている鉢の連結部が離れて、下方の鉢はフレームに設けられた回収箱に落ちる。鉢を回収することによって作業コストの低下を図ることができる。
【図面の簡単な説明】
【０００６】
【図１】本発明の機構の実行方式の側面の原理略図である。
【図２】図１のＡ−Ａ断面略図である。
【図３】ロッドアッセンブリ機構の組み立ての原理図である。
【図４】図３のＣ−Ｃ断面図である。
【図５】図３のＤ−Ｄ断面図である。
【図６】鉢の局部の見下ろした図である
【図７】鉢の局部の側面図である。
【図８】回転籠の軸の側面図である。
【図９】三軸伝動の原理の略図である。
【図１０】図９のＢ−Ｂ断面図である。
【図１１】四軸の伝動の原理の略図である。
【図１２】図１１の機構の伝動の原理の略図である。
【図１３】四軸の伝動の梃子の位置の略図である。
【図１４】図１のＥ部の拡大図である。
【符号の説明】
【０００７】
１  中心軸
２  第一伝動スプロケット
３  伝動箱
４  右フランジ
５  回転籠の側面板
６  右固定板
７  回転籠の柵
８  回転籠の側面板
９  梃子軸  
１０  梃子
１１  ストッパー軸
１２  左フランジ
１３  カム
１４  左側固定板
１５  制御レバー
１６  運送ベルト
１７  第二伝動スプロケット
１８  運送ロール
１９  鉢苗載置台
２０  鉢苗圧板
２１  ロッド
２２  外固定板
２３  側固定板
２４  内固定板
２５  “星”型復元輪
２６  ストッパー
２７  支持ネジ
２８  支持軸のカバー
２９  スプリング
３０  空の鉢
３１  “十”字型の隙間
３２  回転籠の柵支持リング
【発明を実施するための最良の形態】
【０００８】
以下、図面及び実施例に合わせて本発明を更に詳しく説明する。
本発明に係る鉢苗移植装置において、運送ベルト１６は第二伝動スプロケット１７によって駆動される伝送ロール１８に装着されており、伝送ロール１８の下流側であって機械の前進方向と反対側の機構のフレームには、運送ベルト１６の運動方向の切線方向に鉢苗載置台１９が固定されており、鉢苗載置台１９の下流側には、回転籠が設置されている。前記回転籠は、籠の柵７が垂直方向から籠柵支持リング３２を貫通して、籠両端に設けられ且つ籠柵支持リングと平衡する二つの籠側面板５，８にネジによって固定されることにより、一つの籠型の鉢苗入れ回転籠が形成されている。回転籠の下流側の上方には、機構フレームに固定され且つ回転籠との間に隙間を有する鉢苗圧板２０が設置されており、図に示すように、鉢苗圧板２０と回転籠の籠柵支持リング３２との間には鉢苗が通過できる隙間が形成されている。本発明には、鉢苗繰出機構、伝動機構、鉢復元機構と鉢自動分離機構を備えており、そのうち、
１）鉢苗繰出機構は：回転籠の内部で、カム１３が位相差によって軸方向に沿って均一に機構中心軸１に固定されており、中心軸１の一端には第一伝動スプロケット２が固定されており、カム１３と対応するロッドアッセンブリ１５の一端は中心軸１の軸受けの左固定板１４に支持されており、ロッドアッセンブリ１５の他端は右固定板６に支持されており、右固定板６は中心軸１に挿入され回転籠に固定されている右フランジ４の軸受けに支持されており、  ロッドアッセンブリ１５には、ばね２９が装着されているロッド２１と、ロッドに貫通された内、外固定板２４、２２と、を備えており、内、外固定板２４、２２は、支持ネジ２７と支持軸カバー２８によって一体に固定されており、二つの側固定板２３と外固定板２２は一体に溶接され、側固定板２３は左側固定板１４と右側固定板６に連結されている。
【０００９】
ロッドアッセンブリとカム１３との間であって、右固定板６と左固定板１４に支持され、機構の中心軸１と並行する静止梃子軸９には、一列の梃子１０が装着され、梃子１０の梃子軸９から離れた一端には、ロッド２１に向かう一方に突起が設けられており、梃子１０の梃子軸９側の他端には、カム１３に向かう一方に突起が設置されており、梃子１０の動端は、梃子軸９と平行し且つ左、右固定板１４、６に固定支持されてあるギア軸１１に置かれている。
【００１０】
ロッドは、カム１３と対応して均一に配置され、円周方向において一定の角度Ｎ範囲内の位相で均一に配置されている。田圃の同列に落下する鉢苗は次第に繰り出され、株間の同距離を確保することができる。カム１３が回転すると、梃子１０の一端に設けられている突起と接触し、梃子１０は軸９を中心に回転し、梃子１０の他端に設けられている突起によりロッド２１のばね２９を圧縮し、回転籠に巻かれてある鉢中の水稲鉢苗が押し出され、鉢苗は苗カイド管に沿って田圃に落とされ、鉢苗の連続移植が実現できる。好ましくは鉢苗の鉢３０の下部に“梅花”型の隙間３１が形成されることで、苗の繰り出し効率が高くなる。
【００１１】
２）伝動機構は：フレームに伝動箱３が固定支持されており、伝動箱の外側の一端から延伸された軸カバーは回転籠に固定連結されている。
【００１２】
３）鉢復元機構は：回転籠の外部後方下側と苗ガイド管との間に伝動する「星」型の復元輪２５が装着されており、その歯車の「爪」が回転籠と一緒に回転する苗箱の空鉢まで回転した際、ロッドによって変形された鉢を元の形に復元することができる。
【００１３】
４）鉢自動分離機構は：回転籠の外側の下方であって、復元輪２５の前下方に、機構のフレームに固定された鉢分離ストッパー２６が設置されている。回転箱から落とされた空の鉢は鉢分離ストッパー２６に接触した後、鉢分離ストッパー２６に沿って滑り落ちる。また、鉢分離機構の支持とブロッキングにより、互いに連結されている鉢の連結部が離れて、下方の鉢はフレームに設けられた回収箱に落ちる。
【００１４】
カム１３と回転籠は一定の回転比で回転するが、回転方向は伝動箱３内の伝動構造による。
【００１５】
伝動箱３が三軸伝動箱の場合、一つの輸入伝動に対して、二つの大伝動比の、同軸での反対方向の伝動が輸出され、高速中心軸１がカム１３を回転させて、回転籠を低速度で回転させ、前記二つの回転方向は互いに反対であり、梃子機構は回転籠内の左側下方に装着されており、梃子１０の自由端は上部である状態で梃子軸９に装着される。図９、１０に示すように、三軸伝動箱の中で、中心軸１に固定されている第一小歯車３−８と第一中間軸３−２に固定されている第一大歯車３−７とが噛み合い、第一中間軸３−２に固定されている第二小歯車３−３と第二中間軸３−５に固定されている第二大歯車３−４とが噛み合い、第二中間軸３−５に固定されている第三小歯車３−６と中心軸１に挿入されている第三大歯車３−１とが噛み合い、第三大歯車３−１の伝動箱の片端から伸び出した軸カバーは回転籠に固定連結されている。カム１３と回転籠とは回転方向が反対であり、図１に示すように、梃子１０の自由端は上向きに梃子軸９に置かれている。
【００１６】
伝動箱３が四軸伝動箱の場合、一つの輸入伝動に対して、二つの大伝動比の、同軸かつ同方向の伝動が輸出され、高速中心軸１がカム１３を回転させ、回転籠を低速度で回転させ、梃子機構は回転籠内の左側上方に装着されており、梃子１０の自由端が下向きで梃子軸９に支持されている。図１１、１２、１３に示すように、四軸伝動箱の中で、中心軸１に固定されている第一小歯車３−１９と第一中間軸３−１０に固定されている第一大歯車３−１８とが噛み合い、第一中間軸３−１０に固定されている第二小歯車３−１１と第二中間軸３−１３に固定されている第二大歯車３−１２とが噛み合い、第二中間軸３−１３に固定されている第三小歯車３−１７と第三中間軸３−１５に固定されている第三大歯車３−１６とが噛み合い、第三中間軸３−１５に固定されている第四小歯車３−１４と中心軸１に挿入されている第四大歯車３−９とが噛み合い、第四大歯車の伝動箱の片端から伸び出した軸カバーは回転籠に固定連結されている。カム１３と回転籠とは回転方向が同じであり、図１３に示すように、梃子１０の自由端は下向きに梃子軸９に置かれている。
【００１７】
作業時には、第二伝動スプロケット１７により運送ロール１８が回転され、運送ベルト１６及びその上に載置されている鉢苗を動かす。鉢苗は、運送ベルト１６と同じ高さの鉢苗載置台１９から、伝動箱３によって伝動される回転籠に巻き込まれ、回転籠と一緒に回転する。運送ロールの回転速度は回転籠より少し速いため、運送ベルトから鉢苗に対し前へ推進する推進力が生じ、鉢苗は順調且つ精確に回転籠に巻き込まれる。
【００１８】
中心軸１に固定されてある１６個のカムは二組に分けられ、伝動スプロケットの伝動によって均一速度で回転し、一組八個のカムは順番でそれぞれに対応する梃子を動かす。
【００１９】
梃子は順番でそれぞれに対応するロッドを動かせて、回転籠に巻かれてある鉢苗と同じ列の鉢のなかの水稲鉢を順番に繰り出し、鉢苗は苗カイド管に沿って田圃の中に落とされ、鉢苗の連続移植作業が完成する。
【００２０】
回転籠の外部後方下側と苗ガイド管との間に伝動する「星」型の復元輪２５が装着されており、その歯車の「爪」が回転籠と一緒に回転する苗箱の空鉢まで回転した際、ロッドによって変形された鉢を元の形に復元することができる。
【００２１】
回転籠の外側の下方であって、復元輪２５の前下方に、機構のフレームに固定された鉢分離ストッパー２６が設置されている。回転箱から落とされた空の鉢は鉢分離ストッパー２６に接触した後、鉢分離ストッパー２６に沿って滑り落ちる。また、鉢分離機構の支持とブロッキングにより、互いに連結されている鉢の連結部が離れて、下方の鉢はフレームに設けられた回収箱に落ちる。
【００２２】
カムと回転籠の回転速度はそれぞれ異なっており、本例ではその速度比は５２である。回転籠が隣接する二つの鉢の間の巻き角度分回転した際、中心軸は丁度一回転する。このような鉢苗移植機は鉢苗とカムの作動回転させること、及び梃子機構の作用により、ロッドによる鉢苗の繰り出し速度をアップすることができる。
【００２３】
八つのカムの間の位相差は、理論計算及び高速撮影実験分析により確定することができ、同一列における鉢苗の繰り出しの均一性と株間距離の均一性を確保することができる。鉢苗の復元装置によって鉢苗をリサイクルすることができ、移植のコストを下げることができる。
【図１】
0004778089.tif 000002
【図２】
0004778089.tif 000003
【図３】
0004778089.tif 000004
【図４】
0004778089.tif 000005
【図５】
0004778089.tif 000006
【図６】
0004778089.tif 000007
【図７】
0004778089.tif 000008
【図８】
0004778089.tif 000009
【図９】
0004778089.tif 000010
【図１０】
0004778089.tif 000011
【図１１】
0004778089.tif 000012
【図１２】
0004778089.tif 000013
【図１３】
0004778089.tif 000014
【図１４】
0004778089.tif 000015